(57)【要約】  本開示は、皺の発生を抑制可能とした測定器を提供する。測定器１は、本体１０と、本体１０に取り付けられるカバー６０とを有している。本体１０は、本体１０の長手方向の一端部領域の把持部１１と、本体１０の長手方向他端部領域のセンサ部１２とを備えている。把持部１１の上面１１ａには、固定部２２が設けられている。センサ部１２は、先端の測定部３１と、測定部３１を把持部１１に接続する連結部３２とを備えている。測定部３１にはセンサ４０が設けられている。センサ４０の測定面４０ａを含む面を基準面ＳＣとする。そして、基準面ＳＣに沿う方向であって、本体１０の長手方向に直交する方向から視て、固定部２２と、本体１０のうち測定部３１の辺３１ｃとに接する接線Ｌａを引く。この場合に、基準面ＳＣと接線Ｌａとが成す角度θ１は５０度以下である。
2020162440.tif 000002
【特許請求の範囲】
【請求項１】
長手方向にセンサ部と把持部とが設けられ、前記センサ部の前記把持部とは反対側の端部にセンサが設けられ、当該センサの測定面が前記センサ部から露出する本体を備え、
前記本体における前記測定面が露出する側とは反対側には、前記センサを覆うカバーを引っ掛けて固定するための固定部が設けられており、
前記測定面を含む面を基準面とし、前記基準面に沿う方向であって前記長手方向に直交する方向から視て、前記固定部と前記本体とに接する接線を引いたときに、前記基準面と前記接線とが成す角度は５０度以下である、
測定器。
【請求項２】
前記本体において前記接線が接する部分は、前記基準面に沿う方向であって前記長手方向に直交する方向に延びる直線状である、請求項１に記載の測定器。
【請求項３】
前記センサ部において、前記測定面と、前記測定面と反対側の面は互いに平行である、請求項１又は請求項２に記載の測定器。
【請求項４】
前記固定部を前記センサ部の先端とは反対方向に付勢する付勢部材を備えた、請求項３に記載の測定器。
【請求項５】
前記センサ部の先端側の角部は円弧状である、請求項１〜請求項４の何れか一項に記載の測定器。
【請求項６】
前記基準面に沿う方向であって前記長手方向に直交する方向から視て、前記把持部において、前記把持部の長手方向の軸と前記把持部の上面と前記把持部の下面とのうちの少なくとも１つは、前記センサの前記測定面と平行である、請求項１〜請求項５の何れか一項に記載の測定器。
【請求項７】
前記把持部の上面には測定結果を表示する表示部が設けられている、請求項１〜請求項６の何れか一項に記載の測定器。
【請求項８】
前記把持部には凹部が設けられている、請求項１〜請求項７の何れか一項に記載の測定器。
【発明の詳細な説明】
【技術分野】
【０００１】
本開示は、測定器に関するものである。
【背景技術】
【０００２】
従来、測定者が手で保持して対象物を測定する測定器として例えば口腔内水分測定器がある（例えば、特許文献１参照）。この口腔内水分測定器は、静電容量式のセンサを有し、対象物の被測定面にセンサを押し当て、対象物（口腔内）の水分量を測定する。
【先行技術文献】
【特許文献】
【０００３】
【特許文献１】国際公開第２００４／０２８３５９号
【発明の概要】
【発明が解決しようとする課題】
【０００４】
ところで、上述のようにセンサの測定面を覆うカバーの厚さは、測定感度に影響するため、薄いカバーが用いられる。しかしながら、厚さの薄いカバーは、そのカバーの装着状態によっては、センサの測定面においてカバーに皺が発生する場合がある。このような皺の発生は、口腔内水分測定器の測定結果に影響する。【０００５】
本開示の目的は、皺の発生を抑制可能とした測定器を提供することにある。
【課題を解決するための手段】
【０００６】
本開示の一態様である測定器は、長手方向にセンサ部と把持部とが設けられ、前記センサ部の前記把持部とは反対側の端部にセンサが設けられ、当該センサの測定面が前記センサ部から露出する本体を備え、前記本体における前記測定面が露出する側とは反対側には、前記センサを覆うカバーを引っ掛けて固定するための固定部が設けられており、前記測定面を含む面を基準面とし、前記基準面に沿う方向であって前記長手方向に直交する方向から視て、前記固定部と前記本体とに接する接線を引いたときに、前記基準面と前記接線とが成す角度は５０度以下である。【０００７】
この構成によれば、センサを覆うカバーの皺の発生を抑制できる。
【発明の効果】
【０００８】
本開示の一態様によれば、皺の発生を抑制可能とした測定器を提供できる。
【図面の簡単な説明】
【０００９】
【図１】（ａ）は測定器の平面図、（ｂ）は測定器の側面図。
【図２】センサ部とカバーを示す部分拡大図。
【図３】（ａ）は支持部材及び固定部を示す平面図、（ｂ）は支持部及び固定部を示す側面図。
【図４】（ａ）は変更例の支持部材及び固定部を示す平面図、（ｂ）は変更例の支持部及び固定部を示す側面図。
【図５】変更例の支持部材及び固定部を示す側面図。
【図６】変更例の支持部材及び固定部を示す側面図。
【図７】変更例の支持部材及び固定部を示す側面図。
【図８】変更例の測定器の一部側面図。
【図９】変更例のセンサ部とカバーを示す部分拡大図。
【図１０】（ａ）は変更例の測定器の平面図、（ｂ）は変更例の測定器の側面図。
【図１１】（ａ）は変更例の測定器の平面図、（ｂ）は変更例の測定器の側面図。
【図１２】（ａ）は変更例の測定器の平面図、（ｂ）は変更例の測定器の側面図。
【図１３】（ａ）は変更例の測定器の平面図、（ｂ）は変更例の測定器の側面図。
【発明を実施するための形態】
【００１０】
以下、一実施形態を説明する。
【００１１】
図１（ａ）、図１（ｂ）に示すように、測定器１は、測定対象として例えば口腔内の水分量を測定する口腔内水分測定器である。この測定器１は、本体１０と、本体１０に取り付けられるカバー６０とを有している。
【００１２】
本体１０は、本体１０の長手方向の一端部領域の把持部１１と、本体１０の長手方向の他端部領域のセンサ部１２とを有している。
【００１３】
把持部１１は、概略直方体状に形成され、上面１１ａ、下面１１ｂ、側面１１ｃ，１１ｄを有している。把持部１１の上面１１ａには、表示部２１と固定部２２とが設けられている。把持部１１の下面１１ｂには、凹部２３ａが設けられ、側面１１ｃ，１１ｄには凹部２３ｂ，２３ｃが設けられている。各凹部２３ａ〜２３ｃは、測定器１を測定者が把持する場合に測定者の指がかかるように形成されている。凹部２３ａ〜２３ｃにより、把持部１１を安定して把持することができる。
【００１４】
本実施形態において、センサ部１２は、把持部１１とは反対側に延びている。センサ部１２は、先端の測定部３１と、その測定部３１を把持部１１に接続する連結部３２とを備えている。
【００１５】
図１（ａ）に示すように、測定部３１は、概略正方形の板状である。センサ部１２の先端となる測定部３１の上端の辺３１ｃは、直線状である。辺３１ｃは、例えば、センサ部１２と把持部１１を結ぶ直線に対して略直交する方向に延びる直線である。なお、辺３１ｃを、連結部３２の側面の延長方向に対して略直交する方向に延びる直線状としてもよい。また、測定部３１を、第１面３１ａと直交する方向から視て、長方形状や台形状とすることもできる。本実施形態において、測定部３１は、角部が円弧状である。
【００１６】
図２に示すように、測定部３１にはセンサ４０が設けられている。このセンサ４０は、平板状である。センサ４０は、平面状の測定面４０ａを有している。センサ４０は、例えば静電容量式のセンサである。センサ４０の測定面４０ａには、一対の電極４１ａ，４１ｂが設けられている。一対の電極４１ａ，４１ｂは、例えば櫛歯状に形成されている。
【００１７】
一対の電極４１ａ，４１ｂは、コンデンサの電極として機能する。つまり、測定面４０ａと対向する測定対象及びその表面の液体は、一対の電極４１ａ，４１ｂに対する誘電体として機能する。一対の電極４１ａ，４１ｂの容量値は、測定対象及びその表面の水分量に応じた値となる。
【００１８】
測定器１は、発振回路、制御回路、等の構成部材が搭載された図示しない回路基板を含む。発振回路は、センサの容量値に応じた周波数の信号を出力する。制御回路は、発振回路の出力信号のパルス数により、測定対象の水分量を検出する。そして、制御回路は、検出した水分量を表示部２１に表示する。
【００１９】
図１（ｂ）に示すように、測定部３１は、センサ４０の測定面４０ａと反対側を向く第２面３１ｂを有している。第２面３１ｂと測定部３１の第１面３１ａ及び測定面４０ａは、互いに平行である。連結部３２は、概略長方形の板状である。センサ部１２は、測定部３１と連結部３２とが所定の角度をなすように屈曲している。
【００２０】
上述したように、把持部１１は、概略直方体状であり、上面１１ａ，下面１１ｂ、側面１１ｃ，１１ｄを有している。把持部１１の長手方向の軸Ｏ１、上面１１ａ、下面１１ｂのうちの少なくとも１つは、測定部３１の第１面３１ａ、つまりセンサ４０の測定面４０ａと平行である。
【００２１】
カバー６０は、カバー部材７０と、支持部材８０とを備えている。本実施形態において、カバー部材７０は、長方形の袋状である。カバー部材７０は、透明もしくは半透明であることが好ましい。カバー６０は、カバー部材７０がセンサ部１２の先端の測定部３１を覆うように取着される。
【００２２】
本実施形態のカバー部材７０は、第１シート材７１と、第１シート材７１の端部に接続された第２シート材７２とを有して袋状に形成された、マチ無し平袋である。第１シート材７１と第２シート材７２は、例えば溶着により互いに接続されている。カバー部材７０において、第１シート材７１と第２シート材７２とが接続されていない端部を開口端７０ａとし、開口端の反対側の端部である先端を口内挿入端７０ｂとする。なお、カバー部材７０は、例えば１枚のシート材を２つ折りにして袋状に接続して形成されてもよい。また、カバー部材７０は、接着や両面テープによる接着等により形成されてもよい。
【００２３】
カバー部材７０の材料としては、例えば疎水性を有する樹脂を用いることができる。樹脂としては、例えば熱可塑性樹脂を用いることができる。このような樹脂材料としては、例えば、ポリエチレン（ＰＥ）、ポリプロピレン（ＰＰ）、ポリエチレンテレフタレート（ＰＥＴ）、ナイロン、ポリ塩化ビニル、ポリイミド、等を用いることができる。
【００２４】
カバー部材７０の厚さは、センサ４０により測定可能とし、その測定を妨げないよう設定される。カバー部材７０の厚さは、例えば５μｍ以上３０μｍ以下とすることができ、５μｍ以上１５μｍ以下であることが好ましい。なお、カバー部材７０の厚さは、カバー部材７０の材料に応じて適宜変更が可能である。カバー部材７０の厚さが３０μｍより大きい場合、センサ４０の感度低下が顕著となる。
【００２５】
支持部材８０は、図示しない接続部材によりカバー部材７０に接続されている。接続部材としては、例えば、アクリル系やシリコン系の粘着剤や接着剤、両面テープ、等を用いることができる。接続部材は、透明もしくは半透明であることが好ましい。
【００２６】
本実施形態の支持部材８０は、長方形の板状である。支持部材８０の幅は、測定部３１の幅よりも大きい。図１（ａ）及び図１（ｂ）に示すように、支持部材８０は、カバー部材７０の口内挿入端７０ｂから開口端７０ａまで延びている。更に、支持部材８０は、カバー部材７０よりも長く、カバー部材７０の開口端７０ａよりも突出している。支持部材８０は、カバー部材７０より突出した部分に、支持部材８０を厚さ方向に貫通する貫通孔８０ａが形成されている。この貫通孔８０ａは、カバー部材７０を本体１０に固定するために用いられ、係合部として機能する。つまり、貫通孔８０ａは、カバー６０を把持部１１に固定するために利用される。支持部材８０は、透明もしくは半透明であることが好ましい。
【００２７】
支持部材８０は、高剛性部材である。支持部材８０としては、曲げ弾性率、曲げ強度がカバー部材７０よりも高い材料を用いることができる。この支持部材８０の材料としては、例えば、ＰＥＴ、ＡＢＳ、ポリカーボネート、アクリル、ＰＰ、等の樹脂を用いることができる。
【００２８】
支持部材８０の厚さは、例えば、５０μｍ以上３００μｍ以下とすることができる。なお、支持部材８０は、その材料に応じて厚さを設定することもできる。例えば、支持部材８０の材料がカバー部材７０の材料と同じである場合、カバー部材７０の厚さの２倍以上２０倍以下であることが好ましく、５倍以上であることがより好ましい。なお、カバー部材７０の厚さとしては、カバー部材７０の最も厚い部分の厚さを用いること、カバー部材７０の最も薄い部分の厚さを用いることができる。また、カバー部材７０の厚さとして、カバー部材７０の最も厚い部分の厚さとカバー部材７０の最も薄い部分の厚さとの平均値を用いることもできる。
【００２９】
図１（ａ）、図１（ｂ）、図３（ａ）、図３（ｂ）に示すように、カバー６０は、固定部２２を支持部材８０の貫通孔８０ａを挿通することに、把持部１１に装着される。そして、支持部材８０を固定部２２から外すことにより、カバー６０が本体１０から取り外される。つまり、固定部２２と、支持部材８０の貫通孔８０ａとにより、カバー６０が把持部１１に対して着脱可能となる。
【００３０】
図１（ｂ）に示すように、本実施形態において、測定部３１の測定面４０ａを含む面を基準面ＳＣとする。そして、基準面ＳＣに沿う方向であって、本体１０の長手方向に直交する方向から視て、固定部２２と、本体１０のうち測定部３１の辺３１ｃとに接する接線Ｌａを引く。ここで、本実施形態においては、上述したとおり、固定部２２は、把持部１１の上面１１ａに設けられている。すなわち、固定部２２は、本体１０における測定面４０ａが露出する側とは反対側に配置されている。そのため、接線Ｌａは、本体１０における把持部１１の上面１１ａ側に引かれることになる。そして、この場合に、基準面ＳＣと接線Ｌａとが成す角度θ１は５０度以下である。
【００３１】
（作用）
測定器１は、本体１０と、本体１０に取り付けられるカバー６０とを有している。本体１０は、本体１０の長手方向の一端部領域の把持部１１と、本体１０の長手方向他端部領域のセンサ部１２とを備えている。センサ部１２は、先端の測定部３１と、測定部３１を把持部１１に接続する連結部３２とを備えている。測定部３１にはセンサ４０が設けられている。センサ部１２は、測定部３１と連結部３２との間で屈曲した形状である。基準面ＳＣに沿う方向であって、本体１０の長手方向に直交する方向から視たときに、基準面ＳＣと接線Ｌａとが成す角度θ１は５０度以下である。センサ部１２の測定部３１は、本体１０に取り付けられるカバー６０により覆われる。このとき、カバー６０を固定部２２に引っ掛けると、基準面ＳＣに沿う方向であって、本体１０の長手方向に直交する方向から視たときに、カバー６０のうち固定部２２から測定部３１の辺３１ｃまでに亘った部分は、接線Ｌａと同一か、基準面ＳＣとの角度が僅かに小さくなる。そのため、角度θ１は、カバー６０のうち固定部２２から測定部３１の辺３１ｃまでに亘った部分が基準面ＳＣに対して最大限傾いた際の角度とみなせる。
【００３２】
ここで、評価試験において、基準面ＳＣと接線Ｌａとが成す角度θ１が０度、１０度、…、９０度と、１０度ずつ異なる本体を用意した。そして、カバー６０を各本体に取り付けた際に、測定部３１の第１面３１ａに対向する箇所に皺が発生するかしないかを目視によって判定した。その結果、角度θ１が０度〜５０度の本体においては、目視によって皺が確認できなかった一方で、角度θ１が６０度〜９０度の本体においては、目視によって皺が確認できた。
【００３３】
本実施形態の本体１０においては、基準面ＳＣと接線Ｌａとが成す角度θ１は５０度以下であるため、本実施形態の平袋であるカバー部材７０が測定部３１に設けられたセンサ４０の測定面４０ａの全体に対して密着し易い。従って、センサ４０の測定面４０ａにおいてカバー６０、つまりカバー部材７０における皺の発生が抑制される。
【００３４】
基準面ＳＣと接線Ｌａとが成す角度θ１が５０度より大きいと、平袋であるカバー部材７０が測定面４０ａの全体に密着し難い。このため、センサ４０の測定面４０ａを覆う部分において、カバー部材７０に皺がよりやすい。
【００３５】
センサ部１２において、測定部３１は、概略正方形の板状である。測定部３１には、第１面３１ａに露出するようにセンサ４０が設けられている。測定部３１において、第１面３１ａ及びセンサ４０の測定面４０ａと反対側を向く第２面３１ｂは、センサ４０の測定面４０ａと平行である。このため、測定部３１の第２面３１ｂが測定対象物の被測定面に対して平行となるようにセンサ部１２を測定対象物に押し当てる。これにより、測定対象物の被測定面に対して、測定部３１の第１面３１ａつまりセンサ４０の測定面４０ａの全体が、被測定面に密着する。このように、測定部３１の第２面３１ｂにより、センサ４０の測定面４０ａの状態を確認して測定することができるため、測定値のばらつきを低減できる。
【００３６】
把持部１１の長手方向の軸Ｏ１、上面１１ａ、下面１１ｂのうちの少なくとも１つは、測定部３１の第１面３１ａ、つまりセンサ４０の測定面４０ａと平行である。このため、把持部１１を視ることで、測定部３１の第１面３１ａが測定対象物の被測定面に対して平行となるようにセンサ部１２を測定対象物に押し当てることができる。したがって、測定部３１を口腔内に挿入してその測定部３１の第２面３１ｂを目視できない場合であっても、測定部３１の第１面３１ａ、つまりセンサ４０の測定面４０ａの向きを容易に判定して測定対象物の被測定面に押し当てることができる。
【００３７】
把持部１１の上面１１ａには、測定結果を表示する表示部２１が設けられている。このため、把持部１１により測定対象物に対する接触状態を把握しながら測定値を確認できる。
【００３８】
測定部３１の辺３１ｃは直線状である。この辺３１ｃには、カバー６０の第２シート材７２が当接する。第２シート材７２には支持部材８０が接合され、この支持部材８０は第１シート材７１及び第２シート材７２よりも高剛性材である。このため、支持部材８０によって、概略長方形のカバー部材７０を測定部３１に装着する場合に、測定部３１を覆うカバー部材７０に対して略均一に引っ張りの力が加わるため、カバー部材７０を立体形状とすることなく、センサ４０の測定面４０ａにおける皺の発生を抑制できる。
【００３９】
把持部１１には、センサ４０が設けられた測定部３１の第１面３１ａとは反対側の上面１１ａに固定部２２が設けられている。このため、本体１０に対してカバー６０を容易に装着できる。例えば、固定部２２が把持部１１の下面１１ｂに設けられると、その下面１１ｂを上に向けて固定部２２にカバー６０の支持部材８０を固定する必要があり、手間が掛る。
【００４０】
カバー６０を固定する固定部２２は、把持部１１の上面１１ａに設けられ、この把持部１１の上面は、センサ部１２の測定面４０ａに設けられたセンサ４０の測定面４０ａと反対方向を向いている。したがって、固定部２２により固定された支持部材８０は、センサ４０の測定面４０ａとは反対側に向かってカバー部材７０を引っ張る。このため、カバー部材７０をセンサ４０の測定面４０ａに対して密着できる。
【００４１】
本実施形態において、カバー６０は、本体１０の把持部１１に対して着脱可能、つまり取り付け、取り外しが可能である。
【００４２】
カバー部材７０によりセンサ４０の測定面４０ａを覆うようにカバー６０を本体１０に取り付けた場合、支持部材８０は、測定部３１において、センサ４０の測定面４０ａとは反対側の第２面３１ｂ側に配置される。支持部材８０は、カバー部材７０より高剛性である。このため、支持部材８０は、カバー部材７０を測定部３１の第２面３１ｂの側に引っ張る。この支持部材８０の引張力は、四角形状の測定部３１を覆うカバー部材７０に対して、測定部３１の４つの辺を覆う部分に略均等に働き、カバー部材７０をセンサ４０の測定面４０ａに密着させる。このとき、図２に示すように、カバー部材７０には、四角形状の測定部３１の各角部より外側の部分に皺７０ｚが発生する。このように、カバー部材７０をセンサ４０の測定面４０ａに密着させることにより、センサ４０の測定面４０ａに対して、カバー部材７０における皺の発生が抑制される。
【００４３】
本実施形態のカバー部材７０では、袋形状としては、マチ無し平袋である。マチ無し平袋は、支持部材８０による張力を与えやすい。また、マチ無し平袋は、樹脂シートを接合するのみで形成できるため、容易に製造することができる。なお、マチのある袋形状としてもよい。
【００４４】
測定によってカバー部材７０には唾液が付着し、薄いカバー部材７０のみでは測定部３１から外し難い、本実施形態では、支持部材８０は、カバー部材７０の口内挿入端７０ｂから開口端７０ａまで延びている。従って、測定後において、高剛性の支持部材８０によってカバー部材７０が測定部３１から離れやすく、カバー部材７０を容易に外すことができる。
【００４５】
支持部材８０には、貫通孔８０ａが形成され、その貫通孔８０ａを固定部２２と係合させることにより、カバー６０を本体１０に対して容易に取着できる。また、支持部材８０の貫通孔８０ａを固定部２２から外すことで、カバー６０を本体１０から容易に取り外すことができる。
【００４６】
また、高剛性の支持部材８０に固定のための貫通孔８０ａを形成することにより、カバー６０を取着するときに支持部材８０が延びないので、カバー部材７０を引っ張って測定部３１に取着することができる。
【００４７】
以上記述したように、本実施の形態によれば、以下の効果を奏する。
【００４８】
（１）測定器１は、本体１０と、本体１０に取り付けられるカバー６０とを有している。本体１０は、本体１０の長手方向の一端部領域の把持部１１と、本体１０の長手方向他端部領域のセンサ部１２とを備えている。センサ部１２は、先端の測定部３１と、測定部３１を把持部１１に接続する連結部３２とを備えている。測定部３１にはセンサ４０が設けられている。基準面ＳＣに沿う方向であって、本体１０の長手方向に直交する方向から視たときに、基準面ＳＣと接線Ｌａとが成す角度θ１は５０度以下である。センサ部１２の測定部３１は、本体１０に取り付けられるカバー６０により覆われる。
【００４９】
カバー６０に対して、基準面ＳＣと接線Ｌａとが成す角度θ１が５０度以下であるため、本実施形態の平袋であるカバー部材７０が測定部３１に設けられたセンサ４０の測定面４０ａの全体に対して密着し易い。従って、センサ４０の測定面４０ａにおいてカバー６０、つまりカバー部材７０における皺の発生を抑制できる。
【００５０】
（２）センサ部１２において、測定部３１は、概略正方形の板状である。測定部３１には、第１面３１ａに露出するようにセンサ４０が設けられている。測定部３１において、センサ４０の測定面４０ａと反対側を向く第２面３１ｂは、センサ４０の測定面４０ａと平行である。このため、測定部３１の第２面３１ｂが測定対象物の被測定面に対して平行となるようにセンサ部１２を測定対象物に押し当てる。これにより、測定対象物の被測定面に対して、測定部３１の第１面３１ａつまりセンサ４０の測定面４０ａの全体が、被測定面に密着する。このように、測定部３１の第２面３１ｂにより、センサ４０の測定面４０ａの状態を確認して測定することができるため、測定値のばらつきを低減できる。
【００５１】
（３）把持部１１には、センサ４０が設けられた測定部３１の第１面３１ａとは反対側の上面１１ａに固定部２２が設けられている。このため、本体１０に対してカバー６０を容易に装着できる。
【００５２】
（４）カバー６０を固定する固定部２２は、把持部１１の上面１１ａに設けられ、この把持部１１の上面は、センサ部１２の測定面４０ａに設けられたセンサ４０の測定面４０ａと反対方向を向いている。したがって、固定部２２により固定された支持部材８０は、センサ４０の測定面４０ａとは反対側に向かってカバー部材７０を引っ張る。このため、カバー部材７０をセンサ４０の測定面４０ａに対して密着できる。
【００５３】
（５）測定器１は、本体１０と、本体１０に取り付けられるカバー６０とを有している。本体１０は、先端にセンサ４０の測定面４０ａを有するセンサ部１２と、センサ部１２が接続された把持部１１とを有する。カバー６０は、樹脂よりなりセンサ４０の測定面を覆うカバー部材７０と、少なくともセンサ部１２に対して測定面４０ａとは反対側に配置され、カバー部材７０と接合された支持部材８０と、を有し、支持部材８０は、カバー部材７０の厚さよりも厚い。
【００５４】
カバー６０において、支持部材８０によって、カバー部材７０が測定面４０ａとは反対側に引っ張られ、カバー部材７０が測定面４０ａに対して当接するため、その測定面４０ａにおいてカバー部材７０に皺の発生を抑制できる。
【００５５】
（６）支持部材８０は、カバー部材７０の口内挿入端７０ｂから開口端７０ａまで延びている。従って、測定後において唾液が付着するカバー部材７０が、高剛性の支持部材８０によって測定部３１から離れやすく、カバー部材７０を容易に外すことができる。
【００５６】
（７）高剛性の支持部材８０に固定のための貫通孔８０ａを形成することにより、カバー６０を取着するときに支持部材８０が延びないので、カバー部材７０を引っ張って測定部３１に取着することができる。
【００５７】
（８）センサ部１２の先端となる測定部３１の上端の辺３１ｃは、直線状であり、測定部３１は、角部が円弧状である。円弧状の角部では皺が発生し難いため、測定面４０ａにおける皺の発生を抑制できる。
【００５８】
＜変更例＞
尚、上記実施形態は、以下の態様で実施してもよい。
【００５９】
・上記実施形態では、カバー６０の支持部材８０に貫通孔８０ａを形成し、その貫通孔８０ａに固定部２２を挿入し、支持部材８０と固定部２２との係合によりカバー６０を把持部１１に固定した。これに対し、支持部材８０と固定部２２との係合構造を適宜変更してもよい。少なくとも、カバー６０を固定部２２に引っ掛けて固定できればよい。
【００６０】
図４（ａ）に示すように、支持部材１００に、係合部として機能するスリット１０１ａ，１０１ｂを形成し、そのスリット１０１ａ，１０１ｂに対して、把持部１１に設けられた固定部１１１ａ，１１１ｂを係合させる。この固定部１１１ａ，１１１ｂは、把持部１１からセンサ部１２の先端に向かう方向に対して直交する方向にそれぞれ延びている。図４（ａ）及び図４（ｂ）に示すように、固定部１１１ａ，１１１ｂの上端には、センサ部１２の先端と反対方向に突出する係止部１１１ｃ，１１１ｄが形成されている。この係止部１１１ｃ，１１１ｄにより支持部材８０が固定部２２から抜けるのを防止する。なお、このような形状の係止部１１１ｃ，１１１ｄを、上記実施形態の固定部２２に設けても良い。
【００６１】
図５に示す測定器１では、付勢部材２３により固定部２２がセンサ部１２の先端方向とは逆方向に付勢されている。付勢部材２３としては、例えば、板ばね、コイルバネ、ゴム、等を用いることができる。この固定部２２は、把持部１１にて本体１０の長手方向に沿って移動可能に支持されている。図５に二点鎖線にて示す位置に固定部２２を移動させ、その固定部２２をカバー６０の支持部材８０の貫通孔８０ａに挿入する。固定部２２が付勢部材２３により支持部材８０を介してカバー部材７０をセンサ部１２の先端とは反対方向に引っ張ることで、カバー部材７０を安定してセンサ部１２の測定部３１に設けられたセンサ４０の測定面４０ａに対して密着できる。このように固定部２２が移動可能である場合には、基準面ＳＣと接線Ｌａとが成す角度θ１が最大となる固定部２２の位置、すなわち、図５に示す例では、固定部２２が最もセンサ部１２の先端側に位置するときの接線Ｌａを基に、角度θ１を定める。
【００６２】
図６に示すように、クリップ２４を用いて把持部１１にカバー６０の支持部材８０を固定してもよい。このクリップ２４は、バネ２５により固定部としての係止部２４ａが把持部１１に向かって付勢されている。クリップ２４の操作部２４ｂを操作することにより、支持部材８０の固定、取り外しが容易である。
【００６３】
図７に示すように、クリップ２６の係止部２６ａをテーパ状としてもよい。このようにすると、クリップ２６の操作部２６ｂを操作することなく、支持部材８０を係止部２６ａと把持部１１との間に差し込むことで、そのカバー６０を容易に固定できる。
【００６４】
・上記実施形態に対し、カバー部材７０の形状を適宜変更してもよい。例えば、口内挿入端７０ｂから開口端７０ａに向かうにつれて幅が広くなる形状、例えばカバー部材７０を台形状としてもよい。口内挿入端７０ｂがセンサ部１２の測定部３１より大きくなると、支持部材８０の引っ張りによってもカバー部材７０がセンサ４０の測定面４０ａに対して密着し難く、皺がより易い。従って、この変更例では、口内挿入端７０ｂがセンサ部１２の測定部３１より大きくなりすぎないので、皺の発生を抑制できる。また、口内挿入端７０ｂがセンサ部１２の測定部３１より大きくなりすぎないので、口腔内に挿入し易くなる。また、口内挿入端７０ｂよりも開口端７０ａを幅広とすることで、カバー部材７０の中にセンサ部１２が挿入し易くなる。
【００６５】
・図１（ａ）及び図１（ｂ）に示す固定部２２の位置は、本体１０において、基準面ＳＣに沿う方向であって、本体１０の長手方向に直交する方向から視て、把持部１１の長手方向の軸Ｏ１よりも、測定面４０ａが露出する側とは反対側すなわち上面１１ａ側であればよい。例えば、固定部２２は、上面１１ａと側面１１ｃとの角部に設けられていてもよい。
【００６６】
・上記実施形態では、把持部１１に固定部２２を設けたが、連結部３２に設けてもよい。
【００６７】
・上記実施形態に対し、図１（ａ）及び図１（ｂ）に示す支持部材８０と第１シート材７１とを接合して袋形状としたカバーとしてもよい。また、支持部材８０と第２シート材７２とを接合して袋形状としたカバーとしてもよい。
【００６８】
・上記実施形態に対し、図１（ａ）及び図１（ｂ）に示す支持部材８０を複数の樹脂シートを積層して形成してもよい。また、第１シート材７１と第２シート材７２の少なくとも一方を、複数の樹脂シートを積層して形成してもよい。
【００６９】
・上記実施形態に対して、各部材の形状を適宜変更してもよい。
【００７０】
図８及び図９に示す測定器１ａにおいて、センサ部１２は、測定部３１が長い長方形状である。このような測定部３１の測定器１は、先端のセンサ４０を口腔内に挿入し易い。このセンサ部１２についても、上記実施形態と同様のカバー６０を用いることで、測定部３１に設けられたセンサ４０の測定面４０ａに対してカバー部材７０における皺の発生を抑制できる。
【００７１】
・上記実施形態に対し、測定器の形状を適宜変更してもよい。例えば、上記実施形態では、センサ部１２が測定部３１と連結部３２とで構成されていたが、センサ部１２が、複数の部分に明確に別れていないこともありえる。
【００７２】
例えば、図１０（ａ）及び図１０（ｂ）に示すように、測定器２００は、長手方向（図１０（ａ）において左右方向）にセンサ部１２と把持部１１とを有している。把持部１１は、長手方向に延びる柱状である。把持部１１の形状は、長手方向と直交する断面における形状が例えば四角形等の多角形、円形、楕円形、又はこれらの形状を組み合わせた形状、角部が円弧状に丸められた形状、等とすることができる。図１０（ｂ）に示すように、把持部１１は、センサ部１２の側に向けて、上下の厚さが薄くなるように形成されている。センサ部１２全体が略直線状となっており、センサ部１２の延びる方向に対してセンサ４０の測定面４０ａが所望の角度で傾いている。なお、この測定器２００では、センサ部１２に固定部２２が設けられている。
【００７３】
また、図１１（ａ）及び図１１（ｂ）に示すように、測定器２１０は、図１０（ａ）及び図１０（ｂ）に示す測定器２００と比べ、センサ部１２が全体的に湾曲している。センサ部１２は、把持部１１において表示部２１が設けられた上部から、先端に向かうほど下方に位置するように湾曲している。
【００７４】
・さらに、センサ部１２が、３つ以上の部分に分かれていることもある。図１２（ａ）及び図１２（ｂ）に示すように、測定器２２０は、連結部３２が把持部１１の上部から長手方向に延びる第１の部分２２１と、第１の部分２２１の先端から下方に向かって斜めに延びる第２の部分２２２と、第２の部分２２２の先端から長手方向に延びる第３の部分２２３とを有し、第３の部分２２３の先端にセンサ４０が設けられている。なお、第１の部分２２１と第２の部分２２２との接続部と、第２の部分２２２と第３の部分２２３との接続部は、湾曲している。
【００７５】
・また、図１３（ａ）及び図１３（ｂ）に示すように、測定器２３０の把持部１１は、長手方向に延びた楕円球状であり、センサ部１２は、全体的に湾曲して先端に向かうほど下方に位置している。
【００７６】
・上記実施形態は、口腔内において水分量を測定する測定器１について説明したが、口腔外において水分量を測定するようにしてもよい。
【００７７】
・上記実施形態は、水分量を測定する測定器としたが、その他を測定する測定器としてもよい。例えば、ｐＨ測定器や口腔細菌測定器等の測定器としてもよい。また、血流や血中酸素を測定する測定器としてもよい。また、複数種類の測定値を測定する測定器としてもよい。その際、上記実施形態の静電容量式のセンサを測定対象に対応するセンサとすることは言うまでもない。
【００７８】
・上記実施形態及び上記変更例は、適宜その一部を公知の構成で置き換えても良い。また、上記実施形態及び上記変更例は、適宜その一部又は全部を組み合わせてもよい。
【００７９】
上記実施形態及び変更例から把握できる技術的思想について記載する。
【００８０】
・長手方向にセンサ部と把持部とが設けられ、前記センサ部は、第１面に測定面が露出するセンサが設けられた測定部と、前記測定部を前記把持部に接続する連結部とを備えた、本体と、少なくとも前記測定部を覆うカバーと、を備え、前記連結部は、前記測定部の第１面とは反対側に向かって前記測定部から斜めに延びており、前記測定部の第１面を基準面とし、前記基準面と前記測定部の前記第１面と同じ側の前記連結部の第１面と前記基準面とが成す角度が５度以上５０度以下である、測定器。
【符号の説明】
【００８１】
１…測定器、１０…本体、１１…把持部、２２…固定部、１２…センサ部、３１…測定部、３１ａ…第１面、３１ｂ…第２面、３１ｃ…上端の辺、３２…連結部、４０…センサ、４０ａ…測定面、６０…カバー、７０…カバー部材、８０…支持部材、８０ａ…貫通孔、Ｌａ…接線、ＳＣ…基準面。
【図１】
2020162440.tif 000003
【図２】
2020162440.tif 000004
【図３】
2020162440.tif 000005
【図４】
2020162440.tif 000006
【図５】
2020162440.tif 000007
【図６】
2020162440.tif 000008
【図７】
2020162440.tif 000009
【図８】
2020162440.tif 000010
【図９】
2020162440.tif 000011
【図１０】
2020162440.tif 000012
【図１１】
2020162440.tif 000013
【図１２】
2020162440.tif 000014
【図１３】
2020162440.tif 000015
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
長手方向にセンサ部と把持部とが設けられ、前記センサ部の前記把持部とは反対側の端部にセンサが設けられ、当該センサの測定面が前記センサ部から露出する本体を備え、
前記本体における前記測定面が露出する側とは反対側には、前記センサを覆うカバーを固定するための固定部が設けられており、
前記測定面を含む面を基準面とし、前記基準面に沿う方向であって前記長手方向に直交する方向から視て、前記固定部と前記本体とに接する接線を引いたときに、前記基準面と前記接線とが成す角度は５０度以下である、
測定器。
【請求項２】
前記本体において前記接線が接する部分は、前記基準面に沿う方向であって前記長手方向に直交する方向に延びる直線状である、請求項１に記載の測定器。
【請求項３】
前記センサ部において、前記測定面と、前記測定面と反対側の面は互いに平行である、請求項１又は請求項２に記載の測定器。
【請求項４】
前記固定部を前記センサ部の先端とは反対方向に付勢する付勢部材を備えた、請求項３に記載の測定器。
【請求項５】
前記センサ部の先端側の角部は円弧状である、請求項１〜請求項４の何れか一項に記載の測定器。
【請求項６】
前記基準面に沿う方向であって前記長手方向に直交する方向から視て、前記把持部において、前記把持部の長手方向の軸と前記把持部の上面と前記把持部の下面とのうちの少なくとも１つは、前記センサの前記測定面と平行である、請求項１〜請求項５の何れか一項に記載の測定器。
【請求項７】
前記把持部の上面には測定結果を表示する表示部が設けられている、請求項１〜請求項６の何れか一項に記載の測定器。
【請求項８】
前記把持部には凹部が設けられている、請求項１〜請求項７の何れか一項に記載の測定器。
【手続補正２】
【補正対象書類名】明細書
【補正対象項目名】００４０
【補正方法】変更
【補正の内容】
【００４０】
カバー６０を固定する固定部２２は、把持部１１の上面１１ａに設けられ、この把持部１１の上面は、センサ部１２の測定部３１に設けられたセンサ４０の測定面４０ａと反対方向を向いている。したがって、固定部２２により固定された支持部材８０は、センサ４０の測定面４０ａとは反対側に向かってカバー部材７０を引っ張る。このため、カバー部材７０をセンサ４０の測定面４０ａに対して密着できる。
【手続補正３】
【補正対象書類名】明細書
【補正対象項目名】００５２
【補正方法】変更
【補正の内容】
【００５２】
（４）カバー６０を固定する固定部２２は、把持部１１の上面１１ａに設けられ、この把持部１１の上面は、センサ部１２の測定部３１に設けられたセンサ４０の測定面４０ａと反対方向を向いている。したがって、固定部２２により固定された支持部材８０は、センサ４０の測定面４０ａとは反対側に向かってカバー部材７０を引っ張る。このため、カバー部材７０をセンサ４０の測定面４０ａに対して密着できる。
【手続補正４】
【補正対象書類名】明細書
【補正対象項目名】００７０
【補正方法】変更
【補正の内容】
【００７０】
図８及び図９に示す測定器１ａにおいて、センサ部１２は、測定部３１が長い長方形状である。このような測定部３１の測定器１ａは、先端のセンサ４０を口腔内に挿入し易い。このセンサ部１２についても、上記実施形態と同様のカバー６０を用いることで、測定部３１に設けられたセンサ４０の測定面４０ａに対してカバー部材７０における皺の発生を抑制できる。
【国際調査報告】
2020162440.tif 000016
2020162440.tif 000017
2020162440.tif 000018
2020162440.tif 000019